(57)【要約】      （修正有）【課題】体積が小さく操作しやすい多機能イヤホンを提供する。【解決手段】多機能イヤホンは、リモコン、別々にリモコンと接続するイヤホン、及びプラグを含む。リモコンはケース１７、１８、基板１１、マイク１２、正面ボタングループ１３、側面ボタングループ１４、正面スイッチ１５及び側面スイッチ１６を含む。構造は巧妙で、ストロークストッパ１８１及びプレート１８２により基板をケースの中で固定しやすく、組み立てやすい。正面スイッチ及び側面スイッチは同一平面状にない状態で互い違いに配置される。各ボタンの間に十分な間隔を保って操作ミスを減らすと同時に、立体空間を十分利用し、体積を小さくし、占有部分を減らし、携帯に便利である。使用の際は、側面ボタングループにより音響をコントロールやカラオケモードにすることができ、いつでも歌えるようになり、人々に便利さ及び愉快さを与える。【選択図】図２
0003224128.tif 000002
【実用新案登録請求の範囲】
【請求項１】
リモコンと、前記リモコンと繋がるイヤホンと、プラグとを備える多機能イヤホンであって、
前記リモコンは、ケースと、基板と、マイクと、一つ以上の正面ボタンを含む正面ボタングループと、一つ以上の側面ボタンを含む側面ボタングループと、一つ以上の正面スイッチと、一つ以上の側面スイッチとを有し、
前記ケースは上ケースと、前記上ケースに嵌着可能な下ケースとを有し、前記下ケースには一つ以上のストロークストッパが設置され、
前記基板には各前記ストロークストッパに対応して嵌合する穴が各設置され、前記下ケースの各前記ストロークストッパより低い位置には前記基板を支えるプレートが一つ以上設置され、前記基板は前記下ケースにおいて、前記ストロークストッパ及び各前記プレートに固定され、
前記マイクは複数の各前記正面スイッチとともに直列且つ等間隔に前記基板の正面に並べられ、
各前記正面スイッチの各間には側面を向いた各前記側面スイッチが前記基板上に設置され、各前記正面ボタンは各前記正面スイッチに対応する位置に前記上ケースの直下且つ正面に設置され、
各前記側面ボタンは各前記側面スイッチに対応する位置且つ前記ケースの側面に設置される多機能イヤホン。
【請求項２】
前記正面ボタングループは、第一正面ボタンと、第二正面ボタンと、第三正面ボタンとを有し、前記第一正面ボタンと、前記第二正面ボタンと、前記第三正面ボタンとは等間隔で並び、前記第二正面ボタンは前記第二正面ボタンの前記第一正面ボタン側にある第一正面弾力ファスナ及び前記第二正面ボタンの前記第三正面ボタン側にある第二正面弾力ファスナで前記第一正面ボタン及び前記第三正面ボタンと等間隔でそれぞれ繋がり、前記第一正面弾力ファスナと前記第二正面弾力ファスナの前記第二正面ボタン側の各一端は前記直列の方向に伸びて前記第二正面ボタンと繋がり、一方、各他端は途中から傾斜して前記ケースの各前記側面ボタンが設置される側とは反対側に伸びた後、再度前記直列の方向に伸びて前記第一正面ボタン或いは前記第三正面ボタンとそれぞれ繋がる請求項１に記載の多機能イヤホン。
【請求項３】
前記側面ボタングループは、第一側面ボタンと、第二側面ボタンと、側面弾力ファスナとを有し、前記第一側面ボタンと前記第二側面ボタンとは等間隔に設置され、前記側面弾力ファスナの全体形状はＵ形状であり、前記側面弾力ファスナの一端は前記Ｕ形状の上部で折れ曲がって前記第一側面ボタンと繋がり、前記側面弾力ファスナの他端も前記Ｕ形状の上部で折れ曲がって前記第二側面ボタンと繋がる請求項１に記載の多機能イヤホン。
【請求項４】
前記ケースは両端に前記イヤホンの線の出線穴が各設置され、各前記出線穴の下側にテーパブロックセットが各設置され、前記イヤホンの線の端部に各前記出線穴に対応するSRクリップが各設置され、各前記SRクリップの各一端は対応する各前記出線穴の内側に設置された凸角で係止され、各他端は対応する各前記出線穴から差し伸べられて前記イヤホンの線の端部を収容するプッシュが各設置され、各前記プッシュは各前記テーパブロックセットに嵌合するノックピンが設置される請求項１に記載の多機能イヤホン。
【請求項５】
前記下ケースの角部に連接柱が設置され、前記上ケースに前記連接柱が嵌合する連接穴が設置され、前記連接穴は前記連接柱に嵌合される請求項１に記載の多機能イヤホン。
【請求項６】
前記下ケースの開口の内側にピンが設置され、前記上ケースの開口の内側に前記ピンと嵌合するスロットが設置される請求項１に記載の多機能イヤホン。
【請求項７】
前記ケースの形は長方形である請求項１に記載の多機能イヤホン。
【請求項８】
前記第一正面ボタン、前記第二正面ボタン及び前記第三正面ボタンには前記ケースから突き出した正面凸部が各設置される請求項２に記載の多機能イヤホン。
【請求項９】
前記第一側面ボタン及び前記第二側面ボタンには前記ケースから突き出した側面凸部が各設置される請求項３に記載の多機能イヤホン。
【請求項１０】
前記プラグはMicroプラグ、Type-Cプラグ及びLightening OTGプラグである請求項１に記載の多機能イヤホン。
【考案の詳細な説明】
【技術分野】
【０００１】
本考案はイヤホンの技術に関し、特に多機能イヤホンに関する。
【背景技術】
【０００２】
現在、生活のレベルが高くなるとともに、仕事ストレスも増えている。イヤホンは、人々にビジネス、レジャー、旅行、フィットネス等での便利さを提供している。イヤホン及び携帯、MP3、MP4等の再生機能を備える装置とを組み合わせて音楽を流す。
たくさん音楽を聴くのが好きな人は、音楽を聞きながら歌を歌うことがあるが、２つのイヤホンを両方ともつければ自分の声が聞こえなくなるので、音程が外れていてもわからない。もし片方のイヤホンしかつけていなければおかしく感じるし、他人に邪魔される可能性もある。
しかし、現在あるイヤホンのリモコンの構造は複雑であり、インストールの手順も煩雑である。その上、リモコンでの操作ボタンはあまり合理的ではなく、全ての操作ボタンがリモコンの正面に分布している。このため、もし操作ボタン同士の間隔が小さければ、操作ミスが起こりやすくなる。逆にもし操作ボタン同士の間隔が大きければ、リモコン自体が大きくなってしまい、使用上の便利さに限界が生じ、人に不便を感じさせるようになる。
【考案の概要】
【考案が解決しようとする課題】
【０００３】
前記先行技術の不足点を解消し、構造が巧妙且つ合理的であり、体積も小さく、操作しやすい多機能イヤホンを設計し提供することが本考案の目的である。
【課題を解決するための手段】
【０００４】
本考案による多機能イヤホンは、リモコンと、該リモコンと繋げるイヤホンと、プラグとを備える。
該リモコンはケースと、基板と、マイクと、一つ以上の正面ボタンを含む正面ボタングループと、一つ以上の側面ボタンを含む側面ボタングループと、一つ以上の正面スイッチと、一つ以上の側面スイッチとを有する。
該ケースは上ケースと、該上ケースに嵌着可能な下ケースとを有する。該下ケースには一つ以上のストロークストッパが設置される。
該基板には各該ストロークストッパに対応して嵌合する穴が各設置される。該下ケースの各該ストロークストッパより低い位置には該基板を支えるプレートが一つ以上設置され、該基板は該下ケースにおいて、該ストロークストッパ及び各該プレートに固定される。
該マイクは複数の各該正面スイッチとともに直列且つ等間隔に該基板の正面に並べられる。
各該正面スイッチの各間には側面を対応する各該側面スイッチが基板上に設置される。各該正面ボタンは各該正面スイッチに対応する位置に該上ケースの直下且つ正面に設置される。
各該側面ボタンは各該側面スイッチに対応する位置且つ前記ケースの側面に設置される。
【０００５】
本考案において好ましくは、該正面ボタングループは第一正面ボタンと、第二正面ボタンと、第三正面ボタンとを有する。該第一正面ボタンと、該第二正面ボタンと、該第三正面ボタンとは等間隔で並び、該第二正面ボタンは該第二正面ボタンの該第一正面ボタン側にある第一正面弾力ファスナ及び該第二正面ボタンの該第三正面ボタン側にある第二正面弾力ファスナで該第一正面ボタン及び該第三正面ボタンと等間隔でそれぞれ繋がれている。該第一正面弾力ファスナと該第二正面弾力ファスナの該第二正面ボタン側の各一端は該直列方向に伸びて該第二正面ボタンと繋がり、一方、各他端は途中から傾斜して該ケースの各該側面ボタンが設置される側とは反対側に伸びた後、再度前記直列方向に伸びて該第一正面ボタン或いは該第三正面ボタンとそれぞれ繋がる。
【０００６】
本考案において好ましくは、該側面ボタングループは、第一側面ボタンと、第二側面ボタンと、側面弾力ファスナとを有する。該第一側面ボタンと該第二側面ボタンとは等間隔に設置されている。該側面弾力ファスナの全体形状はＵ形状であり、該側面弾力ファスナの一端は前記Ｕ形状の上部で折れ曲がって該第一側面ボタンと繋がり、該側面弾力ファスナの他端は前記Ｕ形状の上部で折れ曲がって該第二側面ボタンと繋がる。
【０００７】
本考案において好ましくは、該ケースは両端に該イヤホンの線の出線穴が各設置され、各該出線穴の裏側にテーパブロックセットが各設置されている。該イヤホンの線に対応する各該出線穴にSRクリップが各設置され、各該SRクリップの各一端は対応する各該出線穴の下側口の両側に設置された凸角で係止され、各他端は対応する各該出線穴から差し伸べられて該イヤホンの線の端部を収容するプッシュが各設置され、各該プッシュは各該テーパブロックセットに嵌合するノックピンが設置される。
【０００８】
本考案において好ましくは、下ケースの角部で連接柱が設置され、上ケースで該連接柱と嵌合する連接穴が設置され、該連接穴は連接柱と嵌合する。
【０００９】
本考案において好ましくは、下ケースの開け口の裏側でピンが設置され、上ケースで該ピンと嵌合するスロットが設置される。
【００１０】
本考案において好ましくは、ケースの形は方形である。
【００１１】
本考案において好ましくは、第一正面ボタン、第二正面ボタン及び第三正面ボタンではケースから突き出した正面凸部が設置される。
【００１２】
本考案において好ましくは、第一側面ボタン及び第二側面ボタンではケースから突き出した側面凸部が設置される。
【００１３】
本考案において好ましくは、プラグはMicroプラグ、Type-Cプラグ及びLightening OTGプラグである。
【００１４】
（本考案の効果）
本考案の構造設計は巧妙で、ストロークストッパ及びプレートにより基板をケースの中で固定しやすく、組み立てやすい。正面スイッチ及び側面スイッチに対し、同一平面状にない状態で互い違いに配置されている。各ボタンに十分な間隔を保って操作ミスを減らすと同時に、立体空間を十分利用し、体積を小さくし、占有部分を減らし、携帯する際に便利である。使用の際は、側面ボタングループで音響をコントロールやカラオケモードにすることができ、使用者はいつでも歌を歌えるようになるため、人々に便利さ及び愉快さを提供することができる。
【図面の簡単な説明】
【００１５】
【図１】本考案の全体構造斜視図
【図２】本考案のリモコンの分解構造斜視図
【図３】本考案の正面ボタングループの構造斜視図
【図４】本考案の側面ボタングループの構造斜視図
【図５】本考案のリモコン基板の回路図
【図６】本考案のリモコン別の構造斜視図
【考案を実施するための形態】
【００１６】
実施例の全体構造斜視図、リモコンの分解構造斜視図、正面ボタングループの構造斜視図、側面ボタングループの構造斜視図及びリモコン基板の回路図である図１、図２、図３、図４及び図５に示す通り、本考案はイヤホンを提供する。リモコン１及び別々にリモコン１と繋がるイヤホン２及びプラグ３を含む。リモコン１はケース、基板１１、マイク１２、正面ボタングループ１３、側面ボタングループ１４、正面スイッチ１５及び側面スイッチ１６を含む。
本実施例では、プラグ３はType-Cプラグであるが、他の実施例では、該プラグ３はMicroプラグ、Lightening OTGプラグ或いは他規格のプラグにすることもできる。本実施例では、正面スイッチ１５及び側面スイッチ１６はタッチスイッチであり、他実施例で、正面スイッチ１５及び側面スイッチ１６はトグルスイッチにすることもできる。
【００１７】
ケースは上ケース１７及び上ケース１７と嵌合する下ケース１８を含む。該下ケース１８にストロークストッパ１８１が設置され、基板１１で該ストロークストッパ１８１と嵌合する穴が設置される。ストロークストッパ１８１の下部に該基板１１を支えるプレート１８２が設置される。基板１１は下ケース１８の上にあり、組み立てやすくなるため、ストロークストッパ１８１及びプレート１８２で固定される。下ケース１８の角部に連接柱１８３が設置され、上ケース１７に連接柱と嵌合する連接穴が設置され、該連接穴は連接柱１８３と嵌合するため、組み立てやすくなる。
【００１８】
ケースの両端にイヤホン線４が差し伸べる出線穴が設置され、該出線穴の裏側にテーパブロックセット１８４が設置される。イヤホン線４に対応する出線穴にSRクリップ４１が設置され、該SRクリップ４１の一端は出線穴の裏側口の凸角１８６と繋がり、向こうの一端は出線穴から差し伸べるプッシュ４１２が設置され、該プッシュ４１２はテーパブロックセット１８４と嵌合するノックピン４１１が設置される。SRクリップ４１はイヤホン線４を守れる。イヤホン線４の応力を消し、イヤホン線４のワイヤが出線穴で切断されることを防ぐと同時に、イヤホン線４の引っ張り強さを高め、引っ張られる際に、SRクリップ４１及の凸角１８６が出線穴の裏側口で立ちはだかることでイヤホン線４及び基板１１の連接箇所に力が掛かることを避け、使用寿命を延長する。
【００１９】
下ケース１８の開け口の裏側にピン１８５が設置され、上ケース１７に該ピン１８５と嵌合するスロットが設置されるため、嵌合箇所の緊密性を高められる。ケースの形は長方形であり、平らな正面及び側面空間を保つため、ボタンが並べやすくなる。
【００２０】
マイク１２は複数の正面スイッチ１５と直列に等間隔に基板１１の正面で並べられる。正面スイッチ１５の間、二箇所に側面に対応する側面スイッチ１６が、基板１１に設置される。正面スイッチ１５及び側面スイッチ１６に対して同一平面状にない状態で互い違いに配置されている。各ボタンの間に十分な間隔を保って操作ミスを減らすと同時に、立体空間を十分利用し、体積を小さくし、占有部分を減らし、携帯に便利である。
【００２１】
正面ボタングループ１３に対応する正面スイッチ１５はケースの正面に設置される。具体的には、本実施例では正面スイッチ１５の量は３個であり、それらの機能は音量を小さくするスイッチ、音量を大きくするスイッチ及び再生スイッチである。その中で、音量減らすスイッチを押すと音量は１マス分減少し、音量を大きくするスイッチを押すと音量は１マス分増増加し、再生スイッチを短く押すとストップ状態又はプレイ状態となり、長押しすると停止し、短く二度押すと次の曲になり、短く三度押すと前の曲になる。正面ボタングループ１３は第一正面ボタン１３１、第二正面ボタン１３２及び第三正面ボタン１３３を含み、音量を小さくするスイッチ、音量を大きくするスイッチ及び再生スイッチに対応する。第一正面ボタン１３１、第二正面ボタン１３２及び第三正面ボタン１３３は等間隔で並び、第二正面ボタン１３２は別々に正面弾力ファスナ１３４で第一正面ボタン１３１及び第三正面ボタン１３３と等間隔に繋がっている。正面弾力ファスナ１３４の一端は水平に伸びて第二正面ボタン１３２の周りと繋がり、中部傾斜で上に伸び、向こうの一端は水平に伸びて第一正面ボタン１３１或いは第三正面ボタン１３３に繋がる。その上、正面弾力ファスナ１３４が設置されるため、第一正面ボタン１３１、第二正面ボタン１３２と第三正面ボタン１３３との繋がりは更に安定するため、組み立て、及びボタンのリセットがしやすくなり、使用寿命を延長することができる。
【００２２】
側面ボタングループ１４に対応する側面スイッチ１６はケースの側面に設置される。具体的には、側面スイッチ１６は２個であり、機能はEQスイッチ及びカラオケスイッチである。EQスイッチを短く押すと、音響を切り替えられ、カラオケスイッチを押すとイヤホンモニターと音場効果の切り替えができる。側面ボタングループ１４は第一側面ボタン１４１、第二側面ボタン１４２及び側面弾力ファスナ１４３を含む。第一側面ボタン１４１及び第二側面ボタン１４２はEQスイッチ及びカラオケスイッチに対応する。第一側面ボタンと第二側面ボタンとは等間隔で設置されている。側面弾力ファスナの全体はUの形状になり、該側面弾力ファスナの一端は折れ曲がって第一側面ボタンの周りと繋がり、該側面弾力ファスナ向こうの一端は折れ曲がって第二側面ボタンの周りと繋がる。側面弾力ファスナ１４３が設置されるため、第一側面ボタン１４１及び第二側面ボタン１４２の繋がりは更に安定するため、組み立て、及びボタンのリセットがしやすくなり、使用寿命を延長することができる。
【００２３】
第一正面ボタン１３１、第二正面ボタン１３２及び第三正面ボタン１３３の上では、ケースから突き出した正面凸部が設置される。第一側面ボタン１４１及び第二側面１４２にはケースから突き出した側面凸部が設置され、操作しやすくなる。その上、正面凸部及び側面凸部の形は楕円形にすることもできる。本考案のリモコン別の構造斜視図である図６に示す通り、他の実施例では、正面凸部及び側面凸部の形は円形、長方形或いは他の形にすることもできる。例えば、「−」、「＋」等である。
【００２４】
基板１１は電源管理ユニット及びDSP制御装置を含む。本考案のリモコン基板の回路図である図５に示す通り、電源管理ユニットのチップU2はSGM2019チップを使用し、DC5VをDC3.3Vに転換する。DSP制御装置のチップU1はAP3852を使用する。AP3852チップはEQ、Reverb、Echo効果を搭載されるDSPチップである。AP3852チップは32BIT DSPを採用し、高精度CODECが搭載されており、1M BYTES RAMを埋め込まれている。また、模擬ステレオ及びI2Sデジタルステレオ入力及び模擬ステレオ及びI2Sデジタルステレオ出力が搭載される。三つのPWM出力が搭載され、音楽の周波数に応じてLED光を駆動する（スペクトラムライト／呼吸ライト）。AP3825チップの複数I／0口は、コントロール及びボタン操作に使用される。
【００２５】
使用する際に、プラグ３を携帯或いは他の再生機能がある装置と繋がる。電源管理ユニットは携帯が提供するDC5VをDC3.3Vに変換し、DSP制御装置に提供する。カラオケモードを使用する際は、第二側面ボタン１４２でカラオケスイッチを開き、DSP制御装置のチップU1が指示を受ける際に、チップU1のAD変換回路でマイク１２からの模擬信号をデジタル信号に転換し、チップU1のDSP回路とプラグ３経由のデジタルステレオ信号をミックスし、チップU1のDA変換回路で模擬ステレオ音声として送出する。イヤホン２を通して、使用者の耳に届けられる。更に、第一側面ボタン１４１でEQスイッチを開くと、より多くのEQ効果から選択でき、歌唱効果が更に豊かになる。使用者はいつでも歌えるようになり、人々に便利さ及び愉快が与えられる。
【００２６】
前記明細書の記載及び示唆により、当業者は上記実施方法を変更及び修正を行うことができ、前述の実施形態は本考案を限定するものではないため、本考案により保護される範囲は、実用新案登録請求の範囲を基準とする。
【符号の説明】
【００２７】
１  ・・・リモコン
１１  ・・・基板
１２  ・・・マイク
１３  ・・・正面ボタングループ
１３１  ・・・第一正面ボタン
１３２  ・・・第二正面ボタン
１３３  ・・・第三正面ボタン
１３４  ・・・正面弾力ファスナ（第一正面弾力ファスナ、第二正面弾力ファスナ）
１４  ・・・側面ボタングループ
１４１  ・・・第一側面ボタン
１４２  ・・・第二側面ボタン
１４３  ・・・側面弾力ファスナ
１５  ・・・正面スイッチ
１６  ・・・側面スイッチ
１７  ・・・上ケース
１８  ・・・下ケース
１８１  ・・・ストロークストッパ
１８２  ・・・プレート
１８３  ・・・連接柱
１８４  ・・・テーパブロックセット
１８５  ・・・ピン
１８６  ・・・凸角
２  ・・・イヤホン
３  ・・・プラグ
４  ・・・イヤホン線
４１  ・・・SRクリップ
４１１  ・・・ノックピン
４１２  ・・・プッシュ
【図１】
0003224128.tif 000003
【図２】
0003224128.tif 000004
【図３】
0003224128.tif 000005
【図４】
0003224128.tif 000006
【図５】
0003224128.tif 000007
【図６】
0003224128.tif 000008